(57)【要約】【課題】機種設定が可能な電子機器及び画像形成装置の提供。【解決手段】機種情報Ａ〜Ｃを夫々発生させる機種情報発生部１１〜１３を備えた設定基板１０と、この設定基板１０から出力される機種情報に従って機種設定を行う被設定基板２０とを備える。設定基板１０は、機種情報発生部１１〜１３に各別に接続された端子１０Ａ〜１０Ｃを備え、被設定基板２０は、設定基板１０側の端子１０Ａ〜１０Ｃに各別に接続される端子２０Ａ〜２０Ｃを備える。被設定基板２０の機種情報識別部２１は、端子２０Ａ〜２０Ｃを通じて入力される情報に基づいて設定すべき機種を判定する。【選択図】図１
2008216808.tif 000002
【特許請求の範囲】
【請求項１】
機能の種類を識別する機種情報に従って機種が設定される電子機器において、
夫々が異なる機種を示す機種情報を出力する複数の機種情報出力部と、該複数の機種情報出力部のうち何れか１つ又は特定の組み合わせの機種情報出力部に接続可能になしたケーブルと、該ケーブルが接続された機種情報出力部から出力される機種情報に従って機種の設定を行う機種設定部とを備えることを特徴とする電子機器。
【請求項２】
前記機種情報出力部及び機種設定部を各別に覆う筐体を備えることを特徴とする請求項１に記載の電子機器。
【請求項３】
前記機種情報出力部と前記機種設定部との間に構造物を備えることを特徴とする請求項１又は請求項２に記載の電子機器。
【請求項４】
前記構造物は、前記機種情報出力部から出力される機種情報を中継する中継部を備えることを特徴とする請求項３に記載の電子機器。
【請求項５】
前記機種設定部は、入力された機種情報を分岐させる分岐部と、他の機種設定部を接続するための接続部とを備え、前記分岐部により分岐させた機種情報を前記他の機種設定部へ出力するようにしてあることを特徴とする請求項１乃至請求項４の何れか１つに記載の電子機器。
【請求項６】
各機種情報出力部が出力する機種情報は、夫々が周波数の異なる信号であることを特徴とする請求項１乃至請求項５の何れか１つに記載の電子機器。
【請求項７】
各機種情報出力部が出力する機種情報は、夫々が異なるデジタル情報を有するシリアルデータであることを特徴とする請求項１乃至請求項５の何れか１つに記載の電子機器。
【請求項８】
機能の種類を識別する機種情報に従って機種が設定される画像形成装置において、
夫々が異なる機種を示す機種情報を出力する複数の機種情報出力部と、該複数の機種情報出力部のうち何れか１つ又は特定の組み合わせの機種情報出力部に接続可能になしたケーブルと、該ケーブルが接続された機種情報出力部から出力される機種情報に従って機種の設定を行う機種設定部とを備えることを特徴とする画像形成装置。
【請求項９】
前記機種情報出力部及び機種設定部を各別に覆う筐体を備えることを特徴とする請求項８に記載の画像形成装置。
【請求項１０】
原稿の画像を読み取る画像読取部と、該画像読取部により読み取った画像をシート上に形成する画像形成部とを備え、前記ケーブルを前記画像読取部と前記画像形成部との間に配置するようにしてあることを特徴とする請求項８又は請求項９に記載の画像形成装置。
【請求項１１】
操作指示を受付ける操作部と前記機種情報出力部とを共通の基板に設けてあることを特徴とする請求項８乃至請求項１０の何れか１つに記載の画像形成装置。
【発明の詳細な説明】
【技術分野】
【０００１】
本発明は、機種設定が可能な電子機器及び画像形成装置に関する。
【背景技術】
【０００２】
従来、基板の機種設定は複数の入力ポートに対し、チップ抵抗を用いて選択的にＧＮＤまたはＶｃｃに接続してポートの電圧設定をすることにより行なっており、本体機種ごとに異なる基板を準備していた（例えば、特許文献１を参照）。
【０００３】
また、基板を各機種共通設計にしておき、機種設定をディップスイッチで変更可能にした場合、機種ごとに異なる基板を準備する必要が無いため基板種類が減り、製造用及び市場交換用基板の在庫負担を減らすことができる。
【特許文献１】特開平９−１３４２７９号公報
【発明の開示】
【発明が解決しようとする課題】
【０００４】
しかしながら、上位機種と下位機種の基板が共通設計であると、上位機種の基板を下位機種に取り付け、上位機種との設定を行なうことで、下位機種を上位機種と同じ処理速度で動作させることが可能となるという問題点を有している。
【０００５】
実際はモータ等の駆動源は下位機種は上位機種より出力トルクや耐久性が低い性能を持っており、このような不正改造を行なうと故障する危険性が高いため、不正改造を防止する必要がある。不正改造を防止することだけに着目すれば、機種ごとに金型を準備し、基板の形状を機種ごとに変えて本体に取り付けられないようにすることも考えられるが、製造コストは上がり、在庫負担は減らない。
【０００６】
本発明は斯かる事情に鑑みてなされたものであり、夫々が異なる機種を示す機種情報を出力する複数の機種情報出力部のうち何れか１つ又は特定の組み合わせの機種情報出力部に接続可能になしたケーブルと、このケーブルが接続された機種情報出力部から出力される機種情報に従って機種の設定を行う機種設定部とを備える構成とすることにより、製造コストを上昇させることなく、機種改変による不正改造を防止することができる電子機器及び画像形成装置を提供することを目的とする。
【課題を解決するための手段】
【０００７】
本発明に係る電子機器は、機能の種類を識別する機種情報に従って機種が設定される電子機器において、夫々が異なる機種を示す機種情報を出力する複数の機種情報出力部と、該複数の機種情報出力部のうち何れか１つ又は特定の組み合わせの機種情報出力部に接続可能になしたケーブルと、該ケーブルが接続された機種情報出力部から出力される機種情報に従って機種の設定を行う機種設定部とを備えることを特徴とする。
【０００８】
本発明にあっては、複数の機種情報出力部のうち何れか１つ又は特定の組み合わせの機種情報出力部に接続されるケーブルが使用される。したがって、所望の機種に設定するためには特定のケーブルを特定の機種情報出力部に接続する必要があるため、設定の変更が困難となる。
【０００９】
本発明に係る電子機器は、前記機種情報出力部及び機種設定部を各別に覆う筐体を備えることを特徴とする。
【００１０】
本発明にあっては、機種情報出力部及び機種設定部を各別に覆う筐体を備えているため、配線の変更、追加が困難になる。
【００１１】
本発明に係る電子機器は、前記機種情報出力部と前記機種設定部との間に構造物を備えることを特徴とする。
【００１２】
本発明にあっては、機種情報出力部と機種設定部との間に構造物を備えるため、両者が効果的に遮蔽される。
【００１３】
本発明に係る電子機器は、前記構造物は、前記機種情報出力部から出力される機種情報を中継する中継部を備えることを特徴とする。
【００１４】
本発明にあっては、機種情報を中継する中継部を構造物に備えるため、ケーブルの取り付けが容易になると共に、追加のケーブルを挿通させるための隙間をなくすことができる。
【００１５】
本発明に係る電子機器は、前記機種設定部は、入力された機種情報を分岐させる分岐部と、他の機種設定部を接続するための接続部とを備え、前記分岐部により分岐させた機種情報を前記他の機種設定部へ出力するようにしてあることを特徴とする。
【００１６】
本発明にあっては、機種情報を分岐させて複数の機種設定部へ入力する構成であるため、機種の一元管理が可能となる。
【００１７】
本発明に係る電子機器は、各機種情報出力部が出力する機種情報は、夫々が周波数の異なる信号であることを特徴とする。
【００１８】
本発明にあっては、出力側で機種情報の生成が可能となる。
【００１９】
本発明に係る電子機器は、各機種情報出力部が出力する機種情報は、夫々が異なるデジタル情報を有するシリアルデータであることを特徴とする。
【００２０】
本発明にあっては、出力側で機種情報の生成が可能となる。
【００２１】
本発明に係る画像形成装置は、機能の種類を識別する機種情報に従って機種が設定される画像形成装置において、夫々が異なる機種を示す機種情報を出力する複数の機種情報出力部と、該複数の機種情報出力部のうち何れか１つ又は特定の組み合わせの機種情報出力部に接続可能になしたケーブルと、該ケーブルが接続された機種情報出力部から出力される機種情報に従って機種の設定を行う機種設定部とを備えることを特徴とする。
【００２２】
本発明にあっては、複数の機種情報出力部のうち何れか１つ又は特定の組み合わせの機種情報出力部に接続されるケーブルが使用される。したがって、所望の機種に設定するためには特定のケーブルを特定の機種情報出力部に接続する必要があるため、設定の変更が困難となる。
【００２３】
本発明に係る画像形成装置は、前記機種情報出力部及び機種設定部を各別に覆う筐体を備えることを特徴とする。
【００２４】
本発明にあっては、機種情報出力部及び機種設定部を各別に覆う筐体を備えているため、配線の変更、追加が困難になる。
【００２５】
本発明に係る画像形成装置は、原稿の画像を読み取る画像読取部と、該画像読取部により読み取った画像をシート上に形成する画像形成部とを備え、前記ケーブルを前記画像読取部と前記画像形成部との間に配置するようにしてあることを特徴とする。
【００２６】
本発明にあっては、ケーブルが画像読取部と画像形成部との間に配置されるため、製造時のケーブルの取り付けは、画像読取部を取り外した状態で敷設することができるため容易であるが、製品完成状態でのケーブルの変更、追加等は困難となる。
【００２７】
本発明に係る画像形成装置は、操作指示を受付ける操作部と前記機種情報出力部とを共通の基板に設けてあることを特徴とする。
【００２８】
本発明にあっては、操作部と機種情報出力部とを共通の基板に設けているため、機種情報出力部が設けられた基板と機種設定部が設けられた基板とを離隔させることができ、機種改変を困難にすることができる。
【発明の効果】
【００２９】
本発明による場合は、複数の機種情報出力部のうち何れか１つ又は特定の組み合わせの機種情報出力部に接続されるケーブルが使用される。したがって、所望の機種に設定するためには特定のケーブルを特定の機種情報出力部に接続する必要があるため、機種設定の変更を困難にすることができる。特に、機種情報出力部と機種設定部とを離隔して、配線経路を複雑にすることによって機種改変をより困難にすることができる。更に、機種毎に異なる基板を用意する必要がないため、製造コストの上昇が抑えられる。
【００３０】
本発明による場合は、機種情報出力部及び機種設定部を各別に覆う筐体を備えているため、配線の変更、追加を困難にすることができ、機種設定の変更を困難にすることができる。
【００３１】
本発明による場合は、機種情報出力部と機種設定部との間に構造物を備えるため、両者を効果的に遮蔽することができる。
【００３２】
本発明による場合は、機種情報を中継する中継部を構造物に備えるため、ケーブルの取り付けが容易になると共に、追加のケーブルを挿通させるための隙間をなくすことができ、機種設定の変更を困難にすることができる。
【００３３】
本発明による場合は、機種情報を分岐させて複数の機種設定部へ入力する構成であるため、機種の一元管理が可能となる。
【００３４】
本発明による場合は、出力側で機種情報の生成が可能となり、機種情報の解析を困難にすることができる。その結果、機種設定の変更を困難にすることができる。
【００３５】
本発明による場合は、ケーブルが画像読取部と画像形成部との間に配置される。したがって、製造時のケーブルの取り付けは、画像読取部を取り外した状態で敷設することができるため容易に作業を行うことが可能であるが、製品完成状態でのケーブルの変更、追加等は困難となり、低コストで機種設定の変更を困難にすることができる。
【００３６】
本発明による場合は、操作部と機種情報出力部とを共通の基板に設けているため、機種情報出力部が設けられた基板と機種設定部が設けられた基板とを離隔させることができ、機種改変を困難にすることができる。
【発明を実施するための最良の形態】
【００３７】
以下、本発明をその実施の形態を示す図面に基づいて具体的に説明する。
実施の形態１．
図１は本発明に係る電子機器のブロック図である。図中１０は、複数の機種情報を出力することができる設定基板であり、この設定基板１０には、設定基板１０が出力する機種情報に従って機種設定を行う被設定基板２０が接続されている。ここで、機種情報とは電子機器を機能に基づいて識別するための識別情報をいう。本実施の形態では、設定基板１０が３種類の機種情報（機種情報Ａ，機種情報Ｂ，機種情報Ｃ）を出力可能に構成しており、各機種情報を発生させるための機種情報発生部１１〜１３を備えている。機種情報発生部１１〜１３はそれぞれ端子１０Ａ〜１０Ｃに接続される。
【００３８】
被設定基板２０は、設定基板１０側の端子１０Ａ〜１０Ｃにそれぞれ接続される端子２０Ａ〜２０Ｃを備える。各端子間はそれぞれ個別のケーブル１５Ａ，１５Ｂ，１５Ｃにより接続される。ここで、各ケーブル１５Ａ〜１５Ｃは、それぞれ他のケーブルにより代用ができないものが望ましい。なお、図１に示した例では設定基板１０側の端子１０Ａと被設定基板２０側の端子２０Ａとがケーブル１５Ａにより接続され、他の端子間は接続されていない様子を示している。
【００３９】
被設定基板２０は、機種情報識別部２１、制御部２３、ＲＯＭ２４、ＲＡＭ２５、Ｉ／Ｏ２６を備える。機種情報識別部２１は、端子２０Ａ〜２０Ｃを通じて入力される機種情報の識別を行い、識別結果を制御部２３に通知する。制御部２３は、機種情報識別部２１から通知される識別結果に基づいて機種設定を行う。このとき制御部２３は必要な設定プログラム、データをＲＯＭ２４から読み出し、読み出した設定プログラムを実行することによって機種設定を行う。
【００４０】
ＲＯＭ２４は機種設定されるときに実行される設定プログラム、データが予め格納されている。例えば、設定する機種ごとに設定プログラムを用意してもよく、共通の設定プログラムを用意し、この設定プログラムが使用するデータを機種毎に用意してもよい。本実施の形態では、ＲＯＭ２４に上位機種用の設定プログラム、中位機種用の設定プログラム、下位機種用の設定プログラムが個別に用意されているものとする。ＲＡＭ２５は被設定基板２０内で生成される各種の情報、被設定基板２０の外部から入力される各種の情報を一時的に記憶する。
【００４１】
制御部２３は機種設定を実行した後、Ｉ／Ｏ２６を通じて入力される各種情報を取得すると共に、Ｉ／Ｏ２６に接続されたハードウェアの動作制御を行う。本実施の形態では、モータ２９を駆動するためのドライバ２８、モータ２９の回転速度などを計測するためのセンサ２７がＩ／Ｏ２６に接続されている。Ｉ／Ｏ２６に接続されるハードウェアはこれらのものに限定されないことは勿論のことである。
【００４２】
図２は設定基板１０と被設定基板２０との接続例を示す模式図である。本実施の形態では、電子機器を下位機種として動作させる場合、設定基板１０側の端子１０Ａと被設定基板２０側の端子２０Ａとをケーブル１５Ａを介して接続する（図２（ａ）を参照）。このとき、被設定基板２０の機種情報識別部２１は、入力された機種情報が機種情報Ａのみであると識別し、識別結果を制御部２３へ通知する。制御部２３はその識別結果を受信した場合、電子機器を下位機種として設定する。
【００４３】
電子機器を中位機種として動作させる場合、設定基板１０側の端子１０Ａ及び１０Ｂを被設定基板２０側の端子２０Ａ及び２０Ｂにそれぞれケーブル１５Ａ，１５Ｂにより接続する。このとき、被設定基板２０の機種情報識別部２１は入力された機種情報が機種情報Ａ及び機種情報Ｂであると識別し、識別結果を制御部２３へ通知する。制御部２３はその識別結果を受信した場合、電子機器を中位機種として設定する。
【００４４】
また、電子機器を上位機種として動作させる場合、設定基板１０側の端子１０Ａ〜１０Ｃを被設定基板２０側の端子２０Ａ〜２０Ｃにそれぞれケーブル１５Ａ〜１５Ｃにより接続する。このとき、被設定基板２０の機種情報識別部２１は入力された機種情報が機種情報Ａ、機種情報Ｂ、及び機種情報Ｃであると識別し、識別結果を制御部２３へ通知する。制御部２３はその識別結果を受信した場合、電子機器を上位機種として設定する。
【００４５】
なお、設定基板１０と被設定基板２０との接続例は前述したものに限定されない。例えば、下位機種の設定を行う場合、設定基板１０の端子１０Ａと被設定基板２０の端子２０Ａとを接続し、中位機種の設定を行う場合、設定基板１０の端子１０Ｂと被設定基板２０の端子２０Ｂとを接続し、上位機種の設定を行う場合、設定基板１０の端子１０Ｃと被設定基板２０の端子２０Ｃとを接続する構成としてもよい。
【００４６】
図３は機種情報発生部１１〜１３が出力する機種情報の一例を示す模式図である。図３に示した例では、機種情報発生部１１〜１３はそれぞれが周波数の異なるアナログ信号を発生させて端子１０Ａ〜１０Ｃを通じて被設定基板２０へ出力する。被設定基板２０の機種情報識別部２１は、端子２０Ａ〜２０Ｂを通じて入力される信号を識別するために、ある周波数域の信号のみを通過させるバンドパスフィルタ（ＢＰＦ）２１２Ａ〜２１２Ｃ、バンドパスフィルタ２１２Ａ〜２１２Ｃを通過したある周波数域の信号をＤＣ変換するＤＣ変換回路２１３Ａ〜２１３Ｃ、ＤＣ変換された後のアナログ電圧と設定電圧とを比較してハイレベル又はローレベルの信号を出力するコンパレータ２１４Ａ〜２１４Ｃを備える。ＣＰＵ２１１は、入力される信号がハイレベルの信号であるか又はローレベルの信号であるかを判断することによって所望の機種情報が入力されたか否かを判定する。ＣＰＵ２１１は機種情報の識別結果を制御部２３に通知する。
【００４７】
図４は機種情報発生部１１〜１３が出力する機種情報の他の例を示す模式図である。図４に示した例では、機種情報発生部１１〜１３はそれぞれ異なるデジタルのシリアルデータを発生させて端子１０Ａ〜１０Ｃを通じて被設定基板２０へ出力する。被設定基板２０は、機種情報として入力されたデジタルデータを識別するために、図３に示した機種情報識別部２１に代えて機種情報識別部２２を備える。
【００４８】
機種情報識別部２２は、シリアルデータをパラレルデータに変換するシリアル／パラレル変換回路２２２Ａ〜２２２Ｃ、変換されたパラレルデータをデコードするデコーダ２２３Ａ〜２２３Ｃを備える。ＣＰＵ２２１は、デコードされた結果に基づいて所望の機種情報が入力されたか否かを判定する。ＣＰＵ２２１は機種情報の識別結果を制御部２３に通知する。
【００４９】
図５は機種設定時に被設定基板２０が実行する処理の手順を示すフローチャートである。被設定基板２０の機種情報識別部２１は端子２０Ａを通じて入力される情報に基づき、機種情報Ａを検出したか否かを判断する（ステップＳ１１）。機種情報Ａを検出していないと判断した場合（Ｓ１１：ＮＯ）、エラー処理を行う（ステップＳ１２）。すなわち、本実施の形態では、機種設定時には必ず機種情報Ａが入力される構成であるため、機種情報Ａを検出しない場合にはエラーとして取り扱う。エラー処理は、例えば、図に示していない液晶ディスプレイなどの表示部にエラーである旨を表示することによって行う。
【００５０】
機種情報Ａを検出した場合（Ｓ１１：ＹＥＳ）、機種情報識別部２１は、端子２０Ｂを通じて入力される情報に基づき、機種情報Ｂを検出したか否かを判断する（ステップＳ１３）。機種情報Ｂを検出していないと判断した場合（Ｓ１３：ＮＯ）、すなわち、機種情報Ａは入力されたが、機種情報Ｂは入力されていない場合、設定すべき機種が下位機種であると判定し（ステップＳ１４）、識別結果を制御部２３に通知する。この識別結果を受信した制御部２３は、ＲＯＭ２４に格納された下位機種用の設定プログラムを選択的に実行することで電子機器を下位機種として設定する。
【００５１】
また、ステップＳ１３で機種情報Ｂを検出したと判断した場合（Ｓ１３：ＹＥＳ）、機種情報識別部２１は、端子２０Ｂを通じて入力される情報に基づき、機種情報Ｃを検出したか否かを判断する（ステップＳ１５）。機種情報Ｃを検出していないと判断した場合（Ｓ１５：ＮＯ）、すなわち、機種情報Ａ及び機種情報Ｂは入力されたが機種情報Ｃが入力されていない場合、設定すべき機種が中位機種であると判定し（ステップＳ１６）、識別結果を制御部２３に通知する。この識別結果を受信した制御部２３は、ＲＯＭ２４に格納された中位機種用の設定プログラムを選択的に実行することで電子機器を中位機種として設定する。
【００５２】
更に、ステップＳ１５で機種情報Ｃを検出したと判断した場合（Ｓ１５：ＹＥＳ）、すなわち、全ての機種情報Ａ〜Ｃが入力された場合、設定すべき機種が上位機種であると判定し（ステップＳ１７）、識別結果を制御部２３に通知する。この識別結果を受信した制御部２３は、ＲＯＭ２４に格納された上位機種用の設定プログラムを選択的に実行することで電子機器を上位機種として設定する。
【００５３】
なお、このような機種設定は、例えば、電子機器の電源投入時、リセット時などにおいて行われる。
【００５４】
実施の形態２．
実施の形態１では、１つの設定基板１０が出力する機種情報を１つの被設定基板２０へ入力させる構成としたが、機種情報を分岐させて複数の被設定基板へ入力させる構成としてもよい。本実施の形態では、機種情報を分岐させて複数の被設定基板へ入力させる構成をデジタル複合機などの画像形成装置に適用した形態について説明する。
【００５５】
図６は本実施の形態に係る画像形成装置の概略構成を示すブロック図である。本実施の形態に係る画像形成装置は、操作表示部基板１、メイン制御基板２、原稿読取部制御基板３、印字部制御基板４、画像処理部制御基板５を備える。操作表示部基板１は、ユーザの操作を受付ける操作部、及びユーザに対して報知すべき情報を表示する表示部を構成するハードウェア各部の動作を制御するための制御基板である。操作表示部基板１は、前述した機種情報発生部１１〜１３を備える。
【００５６】
メイン制御基板２は、各基板の動作を連携させて画像形成装置の全体を制御するための制御基板である。メイン制御基板２は、操作表示部基板１の機種情報発生部１１〜１３が出力する機種情報を識別するために、前述した機種情報識別部２１を備える。また、メイン制御基板２は入力された機種情報を、原稿読取部制御基板３、印字部制御基板４、画像処理部制御基板５へ分岐させるための分岐部として機能する。
【００５７】
原稿読取部制御基板３、印字部制御基板４、画像処理部制御基板５は、メイン制御基板２において分岐された機種情報を受信して機種の識別を行う機種情報識別部３１，４１，５１を備える。機種情報識別部３１，４１，５１の内部構成については、前述した機種情報識別部２１と同様である。
【００５８】
このように、各基板の離隔させて配置し、機種情報の伝送経路を複雑化することによって機種の設定変更を困難にすることができる。
【００５９】
図７は本実施の形態に係る画像形成装置を示す斜視図、図８は断面図である。図中１００は、ユーザの操作指示を受付ける操作部及びユーザに対して報知すべき情報を表示する表示部を備える操作表示部である。操作表示部１００は画像形成装置前面の適宜の高さ位置に設けられる。また、画像形成装置の上部には、原稿画像を光学的に読み取るために、自動原稿送り装置、原稿台、ＣＣＤなどの読み取りセンサなどを備えた原稿読取部３００が配置され、原稿読取部３００の下側には、原稿読取部３００によって読み取られた原稿画像に基づいて用紙上に画像形成を行う印字部４００を備える。
【００６０】
操作表示部１００は、液晶ディスプレイパネル、各種操作ボタンなどが配置されるフレーム１０１を備え、このフレーム１０１に覆われた状態で前述した操作表示部基板１が配置される。また、印字部４００は、感光体ドラム、感光体ドラムを帯電させる帯電体、帯電された感光体ドラム上に潜像を書き込む露光ユニット、感光体ドラム上の潜像を現像する現像ユニット、現像されたトナー像を用紙上に転写するための転写ユニットなどのハードウェア各部（不図示）を覆うフレーム４０１を備え、フレーム４０１の前面には開閉可能に構成した前面パネル４０２、背面には開閉不能に構成した背面パネル４０３が設けられている。
【００６１】
メイン制御基板２及び印字部制御基板４は、印字部４００のフレーム４０１と背面パネル４０３との間に設置される。操作表示部１００のフレーム１０１内に設けられた操作表示部基板１及び印字部４００のフレーム４０１と背面パネル４０３との間に設けられたメイン制御基板２はハーネス１５０により接続される。このハーネス１５０は、原稿読取部３００のフレーム３０１と印字部４００のフレーム４０１との間に設けられた隙間に敷設される。なお、原稿読取部制御基板３及び画像処理部制御基板５は、メイン制御基板２及び印字部制御基板４と同様に、印字部４００のフレーム４０１と背面パネル４０３との間に設置されることが望ましい。
【００６２】
このように構成することにより、製造時のハーネス１５０の取り付けは、原稿読取部３００を取り外した状態で敷設することができるため容易であるが、原稿読取部３００が設定された製品完成状態でのハーネス１５０の変更、追加等は困難となる。したがって、ハーネス１５０を変更することによって機種設定の変更を困難にすることができる。
【００６３】
図９は図８に示した画像形成装置の変形例を示す断面図である。図９に示した画像形成装置は、原稿読取部３００と印字部４００との間にハーネス１５１〜１５３を接続するためのコネクタ１６１，１６２を備える。すなわち、操作表示部１００のフレーム１０１内に設けられた操作表示部基板１はハーネス１５１によりコネクタ１６１に接続され、コネクタ１６１，１６２間はハーネス１５２により接続され、コネクタ１６２とメイン制御基板２とはハーネス１５３により接続される。操作表示部基板１の機種情報発生部１１〜１３が出力する機種情報は、これらのハーネス１５１〜１５３を通じてメイン制御基板２に伝送される。
【００６４】
このように、機種情報を中継するためのコネクタ１６１，１６２を備えるため、ハーネス１５１〜１５３の取り付けが容易になると共に、追加のケーブルを挿通させるための隙間をなくすことができる。その結果、機種設定の変更を困難にすることができる。
【図面の簡単な説明】
【００６５】
【図１】本発明に係る電子機器のブロック図である。
【図２】設定基板と被設定基板との接続例を示す模式図である。
【図３】機種情報発生部が出力する機種情報の一例を示す模式図である。
【図４】機種情報発生部が出力する機種情報の他の例を示す模式図である。
【図５】機種設定時に被設定基板が実行する処理の手順を示すフローチャートである。
【図６】本実施の形態に係る画像形成装置の概略構成を示すブロック図である。
【図７】本実施の形態に係る画像形成装置を示す斜視図である。
【図８】本実施の形態に係る画像形成装置を示す断面図である。
【図９】本実施の形態に係る画像形成装置の変形例を示す断面図である。
【符号の説明】
【００６６】
１０  設定基板
１０Ａ〜１０Ｃ  端子
１１〜１３  機種情報発生部
２０  被設定基板
２０Ａ〜２０Ｃ  端子
２１  機種情報識別部
２３  制御部
２４  ＲＯＭ
２５  ＲＡＭ
２６  Ｉ／Ｏ
【図１】
2008216808.tif 000003
【図２】
2008216808.tif 000004
【図３】
2008216808.tif 000005
【図４】
2008216808.tif 000006
【図５】
2008216808.tif 000007
【図６】
2008216808.tif 000008
【図７】
2008216808.tif 000009
【図８】
2008216808.tif 000010
【図９】
2008216808.tif 000011